(57)【要約】【課題】子供のテレビやゲーム機器による遊戯時間を効果的に制限することができる電源タップを提供する。【解決手段】電源プラグ１１とコンセント１２とが接続スイッチ１９を介して接続される。接続スイッチ１９のＯＮまたはＯＦＦは、制御回路２０により制御されている。制御回路２０は、接続スイッチ１９をＯＮまたはＯＦＦとする設定時刻となった時に、パスワードの入力を求め、入力されたパスワードが設定されたものと一致すると、接続スイッチ１９を設定とは異なる状態とし、不一致の場合は、接続スイッチ１９を設定の状態とする。【選択図】図４
2011002343.tif 000002
【特許請求の範囲】
【請求項１】
電源プラグと、この電源プラグに接続スイッチを介して接続されたコンセントと、前記接続スイッチのＯＮまたはＯＦＦを制御する制御手段とを備えた電源タップであって、
前記制御手段は、前記接続スイッチをＯＮまたはＯＦＦにする時刻を設定するＯＮ・ＯＦＦ時刻設定手段と、パスワードを設定するパスワード設定手段と、前記接続スイッチをＯＮまたはＯＦＦにする設定時刻となった時にパスワードの入力を求め、パスワードの入力により前記接続スイッチのＯＮまたはＯＦＦを制御するＯＮ・ＯＦＦ判定手段とを有する
ことを特徴とする電源タップ。
【請求項２】
前記ＯＮ・ＯＦＦ判定手段は、パスワード入力の求めに応じて入力されたパスワードが設定されたものと一致する場合には、前記接続スイッチを設定とは異なる状態とし、不一致の場合または何も入力されない場合には、前記接続スイッチを設定の状態とする
ことを特徴とする請求項１記載の電源タップ。
【請求項３】
前記制御手段は、前記接続スイッチをＯＮまたはＯＦＦにする時刻を変更する際に、パスワードの入力を求め、パスワードの入力により前記接続スイッチをＯＮまたはＯＦＦとする時刻の変更を制御する時刻変更判定手段を有する
ことを特徴とする請求項１または請求項２に記載の電源タップ。
【請求項４】
前記ＯＮ・ＯＦＦ時刻設定手段は、前記接続スイッチをＯＮまたはＯＦＦする時刻を、基準となる時刻からの範囲で設定可能である
ことを特徴とする請求項１から請求項３のいずれか１に記載の電源タップ。
【請求項５】
更に、情報を入力するための入力スイッチと、情報を表示するための表示パネルとを有することを特徴とする請求項１から請求項４のいずれか１に記載の電源タップ。
【請求項６】
更に、前記コンセントに差し込んだ電気機器のプラグが抜けないように施錠する施錠機構を備えたことを特徴とする請求項１から請求項５のいずれか１に記載の電源タップ。
【請求項７】
更に、設定されたパスワードまたは前記接続スイッチをＯＮまたはＯＦＦにする設定時刻を初期化する初期化スイッチを備えたことを特徴とする請求項１から請求項６のいずれか１に記載の電源タップ。
【発明の詳細な説明】
【技術分野】
【０００１】
本発明は、電源プラグとコンセントとの間に接続スイッチが設けられた電源タップに関する。
【背景技術】
【０００２】
近年、テレビやゲーム機器の普及により、子供のそれらによる遊戯時間が長くなってきている。子供に１日におけるそれらの利用時間を決めるなどして守らせることが望ましいが、テレビやゲームに夢中になってしまうとなかなか難しい。そこで、予め設定した時間のみにテレビやゲーム機器に通電をし、利用できる時間を制限する方法が考えられる。例えば、電源タップには、待機電力を抑えるために、コンセントに対する通電をＯＮまたはＯＦＦにする接続スイッチを設け、タイマーにより設定時刻に接続スイッチを自動的にＯＮまたはＯＦＦにするものが提案されている（例えば、特許文献１参照）。このような電源タップを用いれば、設定した時刻にのみ通電して利用する時間を制限することも可能である。
【先行技術文献】
【特許文献】
【０００３】
【特許文献１】特開平６−２２２１７０号公報
【発明の概要】
【発明が解決しようとする課題】
【０００４】
しかしながら、テレビやゲーム機器は、親の監督下において利用させたい場合も多いのに対して、特許文献１に記載の電源タップでは予め設定された時間になると通電してしまうので、親の監督とは関係なく利用できる状態となってしまうという問題があった。また、その時に応じて、設定とは異なる動作をさせたい場合もあるのに対して、特許文献１に記載の電源タップでは設定をそのつど変更しなければならず、面倒であるという問題もあった。更に、特許文献１に記載の電源タップでは、設定時間を子供が自由に変えることも可能であり、利用時間を制限することが難しかった。
【０００５】
本発明は、このような問題に基づきなされたものであり、子供のテレビやゲーム機器による遊戯時間を効果的に制限することができる電源タップを提供することを目的とする。
【課題を解決するための手段】
【０００６】
本発明の電源タップは、電源プラグと、この電源プラグに接続スイッチを介して接続されたコンセントと、接続スイッチのＯＮまたはＯＦＦを制御する制御手段とを備えたものであって、制御手段は、接続スイッチをＯＮまたはＯＦＦにする時刻を設定するＯＮ・ＯＦＦ時刻設定手段と、パスワードを設定するパスワード設定手段と、接続スイッチをＯＮまたはＯＦＦにする設定時刻となった時にパスワードの入力を求め、パスワードの入力により接続スイッチのＯＮまたはＯＦＦを制御するＯＮ・ＯＦＦ判定手段とを有するものである。
【発明の効果】
【０００７】
本発明の電源タップによれば、接続スイッチをＯＮまたはＯＦＦにする設定時刻となった時にパスワードの入力を求めるようにしたので、パスワードの入力により接続スイッチのＯＮまたはＯＦＦを制御することができる。よって、予め設定した時刻に親の監督下において通電し、テレビやゲーム機器を利用させることができると共に、待機電力を削減することができる。
【０００８】
また、パスワード入力の求めに応じて入力されたパスワードが設定されたものと一致する場合には接続スイッチを設定とは異なる状態とし、不一致の場合または何も入力されない場合には接続スイッチを設定の状態とするようにすれば、その時に応じて、設定とは異なる動作をさせたい場合であっても簡単に設定を変更することができ、目的に応じて使い分けることができる。
【０００９】
更に、接続スイッチをＯＮまたはＯＦＦにする時刻を変更する際に、パスワードの入力を求め、パスワードの入力により接続スイッチをＯＮまたはＯＦＦとする時刻の変更を制御するようにすれば、通電時刻を子供が勝手に変更することができず、子供にテレビやゲーム機器の利用時間を効果的に守らせることができる。
【００１０】
加えて、コンセントに差し込んだ電気機器のプラグが抜けないように施錠する施錠機構を備えるようにすれば、子供が勝手にテレビやゲーム機器のプラグを電源タップから抜いて利用することを防止することができ、子供にテレビやゲーム機器の利用時間を効果的に守らせることができる。
【００１１】
更にまた、設定されたパスワードまたは接続スイッチをＯＮまたはＯＦＦにする設定時刻を初期化する初期化スイッチを備えるようにすれば、設定の変更を容易に行うことができる。
【図面の簡単な説明】
【００１２】
【図１】本発明の一実施の形態に係る電源タップの外観構成を表わす図である。
【図２】図１に示した施錠機構の構成例を表わす図である。
【図３】図１に示した施錠機構の他の構成例を表わす図である。
【図４】図１に示した電源タップの回路構成を表わす図である。
【発明を実施するための形態】
【００１３】
以下、本発明の実施の形態について図面を参照して詳細に説明する。
【００１４】
図１は、本発明の一実施の形態に係る電源タップ１０の外観構成を表わすものである。この電源タップ１０は、例えば、電力供給源の外部コンセント（図示せず）に接続する電源プラグ１１と、電力供給先の電気機器のプラグＰが接続される少なくとも１つのコンセント１２とを有している。電源プラグ１１は、例えば、筺体１３から引き出されて設けられている。筺体１３の内部には、例えば、プラグＰを収納する収納部１３Ａが設けられており、コンセント１２は収納部１３Ａに配設されている。収納部１３Ａには、開閉可能な蓋１３Ｂが設けられており、プラグＰをコンセント１２に差し込んだり、抜いたりできるようになっている。収納部１３Ａの例えば側面には、プラグＰのコードＰ１を通すための貫通孔１３Ｃが、コンセント１２に対応して設けられている。
【００１５】
また、電源タップ１０には、例えば、情報を表示する液晶パネルなどよりなる表示パネル１４と、情報を入力するための入力スイッチ１５と、スピーカー１６とが、筺体１３の表面にそれぞれ設けられている。更に、電源タップ１０には、内部に設定されているデータを初期化する初期化スイッチ１７が設けられていることが好ましい。設定の変更を容易に行うことができるからである。初期化スイッチ１７は、例えば、収納部１３Ａ、すなわち蓋１３Ｂにより覆われた筺体１３の内部に設けられることが好ましい。間違って動作させてしまったり、子供がいたずらなどにより動作させてしまうことを防止するためである。
【００１６】
加えて、電源タップ１０には、例えば、コンセント１２に差し込んだプラグＰが抜けないように施錠する施錠機構１８が設けられていることが好ましい。子供が勝手にテレビやゲーム機器などのプラグを電源タップ１０から抜いて利用することを防止することができるからである。施錠機構１８の構造はどのようなものでもよいが、例えば、図２または図３に示したような構造が挙げられる。
【００１７】
図２に示した施錠機構１８は、例えば、施錠口１８Ａから施錠を行うと、一対の固定フック１８Ｂ，１８ＣがプラグＰの先端部に設けられている穴Ｐ２に差し込まれてプラグＰが抜けなくなるものである。固定フック１８Ｂ，１８Ｃは、例えば、固定フックドライバー１８Ｄ，１８Ｅにそれぞれ配設されており、固定フックドライバー１８Ｄ，１８Ｅが施錠および開錠に連動して移動することにより、固定フック１８Ｂ，１８ＣがプラグＰの穴Ｐ２に差し込まれたり引き抜かれたりするように構成されている。
【００１８】
図３に示した施錠機構１８は、例えば、蓋１３Ｂを閉め、施錠口１８Ａから施錠を行うと、蓋１３Ｂが筺体本体１３Ｄに固定され、蓋１３Ｂを開けることができなくなるように構成されている。蓋１３Ｂを開けてコンセント１２にプラグＰを差し込み、蓋１３Ｂを閉めてプラグＰを収納部１３Ａに収納することにより、プラグＰを抜くことをできなくするものである。
【００１９】
図４は、図１に示した電源タップ１０の回路構成を表わすものである。この電源タップ１０は、筺体１３の内部において、電源プラグ１１とコンセント１２とが接続スイッチ１９を介して接続されている。接続スイッチ１９のＯＮまたはＯＦＦは、筺体１３の内部に設けられた制御手段である制御回路２０により制御されている。制御回路２０は、例えば、入力スイッチ制御回路２１と、パスワード管理回路２２と、ＯＮ・ＯＦＦ時刻管理回路２３と、表示制御回路２４と、電源制御回路２５と、電波時計レシーバ回路２６とを有している。
【００２０】
入力スイッチ制御回路２１は、入力スイッチ１５から入力された情報を制御するものであり、入力スイッチ１５、パスワード管理回路２２、ＯＮ・ＯＦＦ時刻管理回路および表示制御回路２４とそれぞれ接続されている。入力スイッチ制御回路２１は、具体的には、入力スイッチ１５から入力されたパスワード情報をパスワード管理回路２２に出力し、接続スイッチ１９をＯＮまたはＯＦＦにする時刻情報をＯＮ・ＯＦＦ時刻管理回路２３に出力し、カーソル情報を表示制御回路２４に通知するようになっている。
【００２１】
パスワード管理回路２２は、パスワードを管理するものであり、入力スイッチ制御回路２１、ＯＮ・ＯＦＦ時刻管理回路２３、表示制御回路２４、電源制御回路２５、スピーカー１６および初期化スイッチ１７とそれぞれ接続されている。パスワード管理回路２２は、具体的には、パスワード設定時に入力スイッチ制御回路２１から入力されたパスワードを設定するパスワード設定手段としての機能を有している。なお、パスワード管理回路２２により設定されたパスワードは、初期化スイッチ１７により初期化されるようになっている。
【００２２】
また、パスワード管理回路２２は、ＯＮ・ＯＦＦ時刻管理回路２３から接続スイッチ１９をＯＮまたはＯＦＦとする時刻である旨の通知がされると、表示制御回路２４にパスワードの入力を求めるように通知すると共に、スピーカー１６に通知し、入力されたパスワードにより接続スイッチ１９のＯＮまたはＯＦＦを制御するＯＮ・ＯＦＦ判定手段としての機能も有している。このＯＮ・ＯＦＦ判定手段では、例えば、パスワード入力の求めに応じて入力されたパスワードが設定されたものと一致する場合には、接続スイッチ１９を設定とは異なる状態とし、不一致の場合または所定時間内に何も入力されない場合には、接続スイッチ１９を設定の状態とする指示を電源制御回路２５に通知するように設定されていることが好ましい。すなわち、ＯＮとする時刻である旨の通知がされた時には、パスワードが一致した場合に、接続スイッチ１９を設定とは異なるＯＦＦとし、パスワードが不一致または入力されない場合に、接続スイッチ１９を設定のＯＮとし、ＯＦＦとする時刻である旨の通知がされた時には、その逆とするように設定されていることが好ましい。その時に応じて、設定とは異なる動作をさせたい場合であっても簡単に設定を変更することができ、目的に応じて使い分けることができるからである。
【００２３】
更に、パスワード管理回路２２は、入力スイッチ制御回路２１から接続スイッチ１９をＯＮまたはＯＦＦとする時刻を変更する旨の通知がされると、表示制御回路２４にパスワードの入力を求めるように通知し、入力されたパスワードにより接続スイッチ１９をＯＮまたはＯＦＦとする時刻の変更を制御する時刻変更判定手段としての機能も有している。この時刻変更判定手段では、例えば、パスワード入力の求めに応じて入力されたパスワードが設定されたものと一致する場合には、表示制御回路２４に接続スイッチ１９をＯＮまたはＯＦＦとする時刻の入力を求めるように通知するように設定されていることが好ましい。
【００２４】
ＯＮ・ＯＦＦ時刻管理回路２３は、接続スイッチ１９をＯＮまたはＯＦＦとする時刻を管理するものであり、入力スイッチ制御回路２１、パスワード管理回路２２、電波時計レシーバ回路２６および初期化スイッチ１７とそれぞれ接続されている。ＯＮ・ＯＦＦ時刻管理回路２３は、具体的には、入力スイッチ制御回路２１から入力された接続スイッチ１９をＯＮまたはＯＦＦとする時刻を設定するＯＮ・ＯＦＦ時刻設定手段としての機能を有している。接続スイッチ１９をＯＮまたはＯＦＦとする時刻は、必要に応じて、月、日、曜日、時、分などにより設定することができる。また、接続スイッチ１９をＯＮまたはＯＦＦとする時刻は、例えば、基準となる時刻からの範囲で設定することができるようになっていることが好ましい。具体的には、例えば、接続スイッチ１９を○時○分にＯＮとし、２時間後にＯＦＦとするというような場合が挙げられる。範囲は、月、日、曜日、時、または分についてそれぞれ指定できるようになっていることが好ましい。なお、ＯＮ・ＯＦＦ時刻管理回路２３により設定された接続スイッチ１９をＯＮまたはＯＦＦにする設定時刻は、初期化スイッチ１７により初期化されるようになっている。
【００２５】
また、ＯＮ・ＯＦＦ時刻管理回路２３は、接続スイッチ１９をＯＮまたはＯＦＦとする設定時刻と、電波時計レシーバ回路２６から通知される時計情報とを比較し、一致した時にパスワード管理回路２２に通知するＯＮ・ＯＦＦ時刻通知手段としての機能も有している。
【００２６】
表示制御回路２４は、表示パネル１４に表示する情報を制御するものであり、入力スイッチ制御回路２１、パスワード管理回路２２、電波時計レシーバ回路２６および表示パネル１４とそれぞれ接続されている。表示制御回路２４は、例えば、入力スイッチ制御回路２１から入力された入力パネルのカーソル情報、パスワード管理回路２２から通知されたパスワードの入力を求める表示、パスワード管理回路２２から通知された接続スイッチ１９をＯＮまたはＯＦＦとする時刻の入力を求める表示、または電波時計レシーバ回路２６から通知された時計情報を表示パネル１４に表示させるようになっている。
【００２７】
電源制御回路２５は、接続スイッチ１９を制御するものであり、パスワード管理回路２２および接続スイッチ１９と接続されている。電源制御回路２５は、例えば、パスワード管理回路２２からの指示に従って、接続スイッチ１９をＯＮまたはＯＦＦとするようになっている。
【００２８】
電波時計レシーバ回路２６は、ＯＮ・ＯＦＦ時刻管理回路２３および表示制御回路２４とそれぞれ接続されており、それらに時刻を通知するものである。
【００２９】
この電源タップ１０は、例えば、次のようにして用いられる。
【００３０】
（初期設定時）
まず、利用者は、例えば、表示パネル１４の表示内容に従い、入力スイッチ１５を操作して、パスワードを入力する。入力されたパスワードは、入力スイッチ制御回路２１からパスワード管理回路２２に通知され保存される。これにより、パスワード管理回路２２にパスワードが設定される。
【００３１】
次いで、利用者は、例えば、表示パネル１４の表示内容に従い、入力スイッチ１５を操作して、接続スイッチ１９をＯＮまたはＯＦＦとする時刻を入力する。その際、必要に応じて、月、日、曜日、時、分、または基準となる時刻からの範囲などを入力する。入力された時刻は、入力スイッチ制御回路２１からＯＮ・ＯＦＦ時刻管理回路２３に通知され保存される。これにより、ＯＮ・ＯＦＦ時刻管理回路２３に接続スイッチ１９をＯＮまたはＯＦＦとする時刻が設定される。
【００３２】
（通常使用時）
パスワードおよび接続スイッチ１９をＯＮまたはＯＦＦとする時刻が設定されると、ＯＮ・ＯＦＦ時刻管理回路２３では、常時、電波時計レシーバ回路２６から通知される現時刻と、接続スイッチ１９をＯＮまたはＯＦＦとする設定時刻とを比較する。
【００３３】
例えば、現時刻と接続スイッチ１９をＯＮとする設定時刻が一致すると、ＯＮ・ＯＦＦ時刻管理回路２３はパスワード管理回路２２に通知し、パスワード管理回路２３は表示制御回路２４を通じて表示パネル１４にパスワードの入力を求める旨の表示をすると共に、スピーカー１６に通知してアラームを鳴らす。表示パネル１４にパスワードの入力を求める表示がされると、利用者は、必要に応じて、入力スイッチ１５を操作してパスワードの入力を行う。入力されたパスワードは、入力スイッチ制御回路２１からパスワード管理回路２２に通知され、パスワード管理回路２２において設定したパスワードと比較される。
【００３４】
パスワードが一致した場合には、パスワード管理回路２２は電源制御回路２５に設定と異なる状態のＯＦＦとする旨を通知し、電源制御回路２５は接続スイッチ１９をＯＦＦとする。一方、パスワードが不一致の場合には、パスワード管理回路２２は電源制御回路２５に設定の状態であるＯＮとする旨を通知し、電源制御回路２５は接続スイッチ１９をＯＮとする。また、表示パネル１４にパスワードの入力を求める旨の表示がされても所定時間内に利用者が何も入力しない場合には、パスワード管理回路２２は電源制御回路２５に設定の状態であるＯＮとする旨を通知し、電源制御回路２５は接続スイッチ１９をＯＮとする。すなわち、パスワードを入力しなければ設定通り通電されるが、設定通りに通電させたくない場合には、正しいパスワードを入力すればよい。
【００３５】
また例えば、現時刻と接続スイッチ１９をＯＦＦとする設定時刻が一致すると、ＯＮ・ＯＦＦ時刻管理回路２３はパスワード管理回路２２に通知し、パスワード管理回路２３は表示制御回路２４を通じて表示パネル１４にパスワードの入力を求める旨の表示をすると共に、スピーカー１６に通知してアラームを鳴らす。表示パネル１４にパスワードの入力を求める表示がされると、利用者は、入力スイッチ１５を操作してパスワードの入力を行う。入力されたパスワードは、入力スイッチ制御回路２１からパスワード管理回路２２に通知され、パスワード管理回路２２において設定したパスワードと比較される。
【００３６】
パスワードが一致した場合には、パスワード管理回路２２は電源制御回路２５に設定とは異なる状態のＯＮとする旨を通知し、電源制御回路２５は接続スイッチ１９をＯＮとする。一方、パスワードが不一致の場合、または、表示パネル１４にパスワードの入力を求める旨の表示がされても所定時間内に利用者が何も入力しない場合には、パスワード管理回路２２は電源制御回路２５に設定の状態であるＯＦＦとする旨を通知し、電源制御回路２５は接続スイッチ１９をＯＦＦとする。すなわち、正しいパスワードを入力すれば、通電状態を続けることができるが、正しくないパスワードが入力された場合およびパスワードが入力されない場合には、設定通り通電が遮断される。
【００３７】
なお、コンセント１２に電力供給先の電気機器のプラグＰを接続したのち、施錠機構１８により施錠すると、コンセント１２からプラグＰを抜くことができなくなる。プラグＰを抜く場合には、施錠機構１８を開錠する。
【００３８】
（設定変更時）
接続スイッチ１９をＯＮまたはＯＦＦとする設定時刻を変更する場合には、利用者は、例えば、表示パネル１４の表示内容に従い、入力スイッチ１５を操作して、接続スイッチ１９をＯＮまたはＯＦＦとする時刻を変更する旨の要求を入力する。時刻変更の要求が入力されると、入力スイッチ制御回路２１はパスワード管理回路２２に通知し、パスワード管理回路２２は表示制御回路２４を通じて表示パネル１４にパスワードの入力を求める旨の表示をする。表示パネル１４にパスワードの入力を求める表示がされると、利用者は、入力スイッチ１５を操作してパスワードの入力を行う。入力されたパスワードは、入力スイッチ制御回路２１からパスワード管理回路２２に通知され、パスワード管理回路２２において設定したパスワードと比較される。
【００３９】
パスワードが不一致の場合には、パスワード管理回路２２は表示制御回路２４を通じて表示パネル１４にパスワードの再入力を求める旨の表示をする。また、パスワードが一致した場合には、パスワード管理回路２２は表示制御回路２４を通じて表示パネル１４に接続スイッチ１９をＯＮまたはＯＦＦとする時刻の入力を求める。利用者は、入力スイッチ１５を操作して、接続スイッチ１９をＯＮまたはＯＦＦとする時刻を入力する。入力された時刻は、入力スイッチ制御回路２１からＯＮ・ＯＦＦ時刻管理回路２３に通知され上書き保存される。これにより、接続スイッチ１９をＯＮまたはＯＦＦとする時刻が変更される。
【００４０】
なお、設定を初期化する場合には、初期化スイッチ１７を押すと、パスワード管理回路２２およびＯＮ・ＯＦＦ時刻管理回路２３に通知され、保存されていたパスワードおよび接続スイッチ１９をＯＮまたはＯＦＦとする設定時刻が消去され、初期化される。
【００４１】
このように本実施の形態によれば、接続スイッチ１９をＯＮまたはＯＦＦにする設定時刻となった時にパスワードの入力を求めるようにしたので、パスワードの入力により接続スイッチ１９のＯＮまたはＯＦＦを制御することができる。よって、予め設定した時刻に親の監督下において通電し、テレビやゲーム機器を利用させることができると共に、待機電力を削減することができる。
【００４２】
また、パスワード入力の求めに応じて入力されたパスワードが設定されたものと一致する場合には接続スイッチを設定とは異なる状態とし、不一致の場合または何も入力されない場合には接続スイッチを設定の状態とするようにすれば、その時に応じて、設定とは異なる動作をさせたい場合であっても簡単に設定を変更することができ、目的に応じて使い分けることができる。よって、パスワードを入力することにより、今日はゲームをしてはいけませんとか、今日はゲームを１時間長くやってもいいですなどの調節を簡単にすることができる。
【００４３】
更に、接続スイッチ１９をＯＮまたはＯＦＦにする時刻を変更する際に、パスワードの入力を求め、パスワードの入力により接続スイッチをＯＮまたはＯＦＦとする時刻の変更を制御するようにすれば、通電時刻を子供が勝手に変更することができず、子供にテレビやゲーム機器の利用時間を効果的に守らせることができる。
【００４４】
加えて、コンセントに差し込んだ電気機器のプラグが抜けないように施錠する施錠機構１８を備えるようにすれば、子供が勝手にテレビやゲーム機器のプラグを電源タップから抜いて利用することを防止することができ、子供にテレビやゲーム機器の利用時間を効果的に守らせることができる。
【００４５】
更にまた、設定されたパスワードまたは接続スイッチ１９をＯＮまたはＯＦＦにする設定時刻を初期化する初期化スイッチ１７を備えるようにすれば、設定の変更を容易に行うことができる。
【００４６】
以上、実施の形態を挙げて本発明を説明したが、本発明は上記実施の形態に限定されるものではなく、種々変形可能である。例えば、上記実施の形態では、電源タップ１０の構成を具体的に説明したが、全ての構成要素を備えていなくてもよく、また、他の構成要素を備えていてもよい。
【００４７】
また、上記実施の形態では、入力スイッチ１５として数字を入力できる場合を具体的に図示したが、アルファベットなどの文字も入力できるように構成してもよい。
【００４８】
更に、上記実施の形態では、接続スイッチ１９を３個設ける場合を具体的に図示したが、接続スイッチ１９の数はいくつでもよく、１つでもよい。また、接続スイッチ１９をＯＮまたはＯＦＦにする時刻は、各接続スイッチ１９毎に設定可能としてもよく、全ての接続スイッチ１９について統一して設定するようにしてもよい。
【００４９】
加えて、上記実施の形態では、接続スイッチ１９をＯＮまたはＯＦＦにする時刻を変更する際に、パスワードの入力を求めるようにしたが、初期設定において、接続スイッチ１９をＯＮまたはＯＦＦにする時刻を設定する際にも、同様に、パスワードの入力を求めるようにしてもよい。
【００５０】
更にまた、上記実施の形態では、施錠機構１８の構成を具体的に説明したが、他の構成を有するようにしてもよい。
【産業上の利用可能性】
【００５１】
電源タップに用いることができる。
【符号の説明】
【００５２】
１０…電源タップ、１１…電源プラグ、１２…コンセント、１３…筺体、１３Ａ…収納部、１３Ｂ…蓋、１３Ｃ…貫通孔、１３Ｄ…筺体本体、１４…表示パネル、１５…入力スイッチ、１６…スピーカー、１７…初期化スイッチ、１８…施錠機構、１８Ａ…施錠口、１８Ｂ，１８Ｃ…固定フック、１８Ｄ，１８Ｅ…固定フックドライバー、１９…接続スイッチ、２０…制御回路、２１…入力スイッチ制御回路、２２…パスワード管理回路、２３…ＯＮ・ＯＦＦ時刻管理回路、２４…表示制御回路、２５…電源制御回路、２６…電波時計レシーバ回路、Ｐ…プラグ、Ｐ１…コード、Ｐ２…穴
【図１】
2011002343.tif 000003
【図２】
2011002343.tif 000004
【図３】
2011002343.tif 000005
【図４】
2011002343.tif 000006